(57)【要約】      （修正有）【課題】使用者が長時間通話しても手や腕が疲れない構造をもち、コードレス受話器を固定して収納することができるワイヤレス通信モジュールを提供する。【解決手段】ワイヤレス通信モジュール本体３と、コードレス受話器４と、ワイヤレスイヤホン５とによって構成される。ワイヤレス通信モジュール本体は、ＤＥＣＴワイヤレス通信技術によってコードレス受話器とワイヤレスイヤホンのそれぞれに接続され、ワイヤレス通信モジュール本体には第一収納部３１と第二収納部３３が設けられ、コードレス受話器とワイヤレスイヤホンをそれぞれ選択的に収納することができる。第一収納部には上向きの開口部３１１と前開口部３１３が設けられ、上向きの開口部はコードレス受話器の横断面と対応していてコードレス受話器を収納することができる。【選択図】図３
0003159164.tif 000002
【実用新案登録請求の範囲】
【請求項１】
コードレス受話器を収納する第一収納部とワイヤレスイヤホンを収納する第二収納部を具え、該第一収納部には相互が隣接する上向きの開口部と前開口部が設けられ、該前開口部の幅は該上向きの開口部の幅より狭いケースと、
該ケース内に設けられ、該コードレス受話器と該ワイヤレスイヤホンにそれぞれ電気的に接続され、該コードレス受話器と該ワイヤレスイヤホンの内の少なくとも一つを制御し公衆交換電話網と通信させる第一制御回路と、によって構成され、
該コードレス受話器又は該ワイヤレスイヤホンと該公衆交換電話網の通信を行わせることができることを特徴とするワイヤレス通信モジュール本体。
【請求項２】
該第一収納部の対向する二つの側面にはガイド部が設けられ、該ガイド部と該コードレス受話器の二つの側面は相互に対応することを特徴とする、請求項１に記載のワイヤレス通信モジュール本体。
【請求項３】
該ケースは第三収納部を更に具えることを特徴とする、請求項１または請求項２に記載のワイヤレス通信モジュール本体。
【請求項４】
該ケースにはラッチ構造が更に設けられ、該ワイヤレスイヤホンをロックすることを特徴とする、請求項１〜３のいずれか１項に記載のワイヤレス通信モジュール本体。
【請求項５】
該第一収納部には信号伝送端子が設けられ、該信号伝送端子は該第一制御回路と該コードレス受話器にそれぞれ電気的に接続することを特徴とする、請求項１〜４のいずれか１項に記載のワイヤレス通信モジュール本体。
【請求項６】
該第二収納部には磁気素子が設けられ、該磁気素子は該第一制御回路と該ワイヤレスイヤホンにそれぞれ電気的に接続することを特徴とする、請求項１〜５のいずれか１項に記載のワイヤレス通信モジュール本体。
【請求項７】
公衆交換電話網に電気的に接続され、第一収納部と第二収納部が設けられ、該第一収納部は上向きの開口部と前開口部を具え、該前開口部の幅は該上向きの開口部の幅より狭いワイヤレス通信モジュール本体と、
無線通信技術によって該ワイヤレス通信モジュール本体と接続され、該第一収納部に収納することができ、その横断面と該上向きの開口部は相互に対応するコードレス受話器と、
無線通信技術によって該ワイヤレス通信モジュール本体に接続され、該第二収納部に収納することができるワイヤレスイヤホンと、によって構成されることを特徴とするワイヤレス通信モジュール。
【請求項８】
該ワイヤレス通信モジュール本体にはラッチ構造が更に設けられ、それにより該第二収納部に該ワイヤレスイヤホンをロックすることができることを特徴とする、請求項７に記載のワイヤレス通信モジュール。
【請求項９】
該ワイヤレス通信モジュール本体には第三収納部が更に設けられることを特徴とする、請求項７または請求項８に記載のワイヤレス通信モジュール。
【請求項１０】
該第二収納部には磁気素子が設けられることを特徴とする、請求項７〜９のいずれか１項に記載のワイヤレス通信モジュール。
【請求項１１】
該ワイヤレスイヤホンには被磁性素子が設けられ、該磁気素子と吸着させることができることを特徴とする、請求項１０に記載のワイヤレス通信モジュール。
【請求項１２】
該第一収納部には第一信号伝送端子が設けられることを特徴とする、請求項１１に記載のワイヤレス通信モジュール。
【請求項１３】
該コードレス受話器には第二信号伝送端子が設けられ、該第一信号伝送端子と電気的に接続することができることを特徴とする、請求項１２に記載のワイヤレス通信モジュール。
【請求項１４】
該ワイヤレス通信モジュール本体は、
該公衆交換電話網から着信信号を受信し、該着信信号に基づいて着信音を発する着信音ユニットと、
該公衆交換電話網と電気的に接続される電子スイッチユニットと、
該着信音ユニットと該電子スイッチユニットにそれぞれ電気的に接続され、該着信信号に基づいて該電子スイッチユニットの通電を制御する第一中央制御ユニットと、
該電子スイッチユニットと該第一中央制御ユニットにそれぞれ電気的に接続され、通電した該電子スイッチユニットから転送された該着信信号を受信し、双方向通話ネットワークを提供する通話ネットワークユニットと、
該第一中央制御ユニットと電気的に接続する第一ＤＥＣＴワイヤレスユニットと、
を更に含むことを特徴とする、請求項１３に記載のワイヤレス通信モジュール。
【請求項１５】
該ワイヤレス通信モジュール本体は、
該第一中央制御ユニットと電気的に接続され、該被磁性素子が該磁気素子に吸着しているか、または該第一信号伝送端子が該第二信号伝送端子に電気的に接続されているかを判定し、判定信号を該第一中央制御ユニットに出力する判定回路と、
直流電源と該第一中央制御ユニットに電気的に接続され、該第一中央制御ユニットが該判定信号に基づいて制御信号を出力すると、それにより制御され第一充電電圧を該コードレス受話器に、もしくは第二充電電圧を該ワイヤレスイヤホンに出力する充電回路と、
を更に含むことを特徴とする、請求項１４に記載のワイヤレス通信モジュール。
【請求項１６】
該ワイヤレス通信モジュール本体は、
該第一中央制御ユニットと電気的に接続され、該第一中央制御ユニットを実行するプログラムを保存する第一メモリユニットと、
該第一中央制御ユニットと電気的に接続され、使用者に該ワイヤレス通信モジュール本体を操作させることができる第一操作ユニットと、
該第一中央制御ユニットと電気的に接続され、充電状態を表示する第一表示ユニットと、
該第一中央制御ユニットと電気的に接続され、音声周波数信号を受信する第一集音ユニットと、
該第一中央制御ユニットと電気的に接続される第一スピーカーユニットと、
を更に含むことを特徴とする、請求項１５に記載のワイヤレス通信モジュール。
【請求項１７】
該コードレス受話器は、
第二中央制御ユニットと、
該第二中央制御ユニットに電気的に接続され、ＤＥＣＴワイヤレス通信技術によって該第一ＤＥＣＴワイヤレスユニットと接続される第二ＤＥＣＴワイヤレスユニットと、
該第二中央制御ユニットと該第二ＤＥＣＴワイヤレスユニットにそれぞれ電気的に接続され、該第二中央制御ユニットと該第二ＤＥＣＴワイヤレスユニットに電力を供給する第一エネルギー蓄積ユニットと、
を更に含むことを特徴とする、請求項１４〜１６のいずれか１項に記載のワイヤレス通信モジュール。
【請求項１８】
該コードレス受話器は、
該第二中央制御ユニットと電気的に接続され、該第二中央制御ユニットを実行するプログラムを保存する第二メモリユニットと、
該第二中央制御ユニットと電気的に接続され、使用者に該コードレス受話器を操作させることができる第二操作ユニットと、
該第二中央制御ユニットと電気的に接続され、通信状態、電池残量、充電状態、発信電話番号、及び電話アドレス帳のデータを表示する第二表示ユニットと、
該第二中央制御ユニットと電気的に接続され、音声周波数信号を受信する第二集音ユニットと、
該第二中央制御ユニットと電気的に接続される第二スピーカーユニットと、
を更に含むことを特徴とする、請求項１７に記載のワイヤレス通信モジュール。
【請求項１９】
該ワイヤレスイヤホンは、
第三中央制御ユニットと、
該第三中央制御ユニットに電気的に接続され、ＤＥＣＴワイヤレス通信技術によって該第一ＤＥＣＴワイヤレスユニットと接続される第三ＤＥＣＴワイヤレスユニットと、
該第三中央制御ユニットと該第三ＤＥＣＴワイヤレスユニットにそれぞれ電気的に接続され、該第三中央制御ユニットと第三ＤＥＣＴワイヤレスユニットに電力を供給する第二エネルギー蓄積ユニットと、
を更に含むことを特徴とする、請求項１４〜１８のいずれか１項に記載のワイヤレス通信モジュール。
【請求項２０】
該ワイヤレスイヤホンは、
該第三中央制御ユニットと電気的に接続され、該第三中央制御ユニットを実行するプログラムを保存する第三メモリユニットと、
該第三中央制御ユニットと電気的に接続され、使用者に該ワイヤレスイヤホンを操作させることができる第三操作ユニットと、
該第三中央制御ユニットと電気的に接続され、充電状態と通信状態を表示する第三表示ユニットと、
該第三中央制御ユニットと電気的に接続され、音声周波数信号を受信する第三集音ユニットと、
該第二中央制御ユニットと電気的に接続される第三スピーカーユニットと、
を更に含むことを特徴とする、請求項１９に記載のワイヤレス通信モジュール。
【考案の詳細な説明】
【技術分野】
【０００１】
本考案はワイヤレス通信モジュールに関し、特にコードレス受話器を固定して収納できる収納部を具えるワイヤレス通信モジュールに関する。
【背景技術】
【０００２】
図１に示すように、従来の古いタイプの電話機１では、電話機本体１０と受話器１２は電話コード１４で繋がれている。また、電話機１は電話回線コード１６によって公衆交換電話網（ＰＳＴＮ）２０に接続される。使用者は、電話機本体１０上のキー１８によって電話番号の発信を行い、公衆交換電話網２０を通じて遠隔端末と接続し、受話器１２を用いて遠隔端末の相手と通話を行う。
【０００３】
近年、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎ）規格が急速に普及し、世界各国で使用されるようになってきている。ＤＥＣＴ規格は以下の利点がある。一つ目に、デジタル処理された音質はクリアであること、二つ目に、通信できる距離の範囲が大きいこと．三つ目に、高密度の通信で使用しても干渉を受けないことである。
【０００４】
図２に示すように、ＤＥＣＴのワイヤレス通信技術により、従来の電話機本体１０は電話コード１４で受話器１２に接続するという従来技術に改良が加えられ、ＤＥＣＴワイヤレス通信機能を具えたコードレス電話機１’と、ＤＥＣＴワイヤレス通信機能を具えた台座１０’の組み合わせで従来のコードレス電話は構成される。図２に示すように、コードレス電話機１’と台座１０’のワイヤレス接続、及び台座１０’と公衆交換電話網２０の有線接続により、使用者は一定の空間内では、距離の制限を受けることなく通話を行うことができる。
【０００５】
しかしながら、コードレス電話機１’はワイヤレス機能を具えているものの、使用者が長時間受話器を持っていると、手や腕が疲れてしまい、自宅内や仕事上で通話する際に不便である。
【０００６】
また、台座１０’には充電溝１１’が設けられており、充電溝１１’とコードレス電話機１’はそれぞれ対応する金属接点（図示せず）を有しており、それにより相互が接続され、コードレス電話機１’を充電することができる。しかしながら、充電溝１１’は一般的にコードレス電話機１’を固定する機能は具えておらず、外部からの衝撃などにより簡単にコードレス電話機１’は充電溝１１’から外れてしまい、コードレス電話機１’の充電が中断、もしくは、コードレス電話機１’が地面に落ちて損傷してしまう可能性がある。
【考案の概要】
【考案が解決しようとする課題】
【０００７】
従来は、受話器は必ず手で持って通話を行わなければならないという問題があった。そこで、本考案は、使用者が長時間通話しても手や腕が疲れない構造をもつワイヤレス通信モジュールを提供することを目的とする。
【０００８】
また、従来は、コードレス受話器を充電している時に、外部の衝撃により簡単にコードレス受話器が本体から外れてしまい、充電が完全に行うことができないという問題があった。そこで、本考案は、コードレス受話器を固定して収納することができるワイヤレス通信モジュールを提供することを目的とする。
【課題を解決するための手段】
【０００９】
上述の技術問題を解決するために、本考案によるワイヤレス通信モジュール本体は、ケースと、ケース内に設けられた制御回路とによって構成される。ケースは第一収納部と第二収納部を具え、それぞれコードレス受話器とワイヤレスイヤホンを収納することができる。また、第一制御回路は、該コードレス受話器と該ワイヤレスイヤホンに電気的に接続し、コードレス受話器と該ワイヤレスイヤホンの少なくとも一つを制御して該公衆交換電話網と通信させる。この構造により、本考案によるワイヤレス通信モジュール本体は、コードレス受話器又はワイヤレスイヤホンを公衆交換電話網と通信させることができる。
【００１０】
該第一収納部には隣接する上向きの開口部と前開口部が設けられ、該前開口部の幅は該上向きの開口部の幅より狭い。
【００１１】
本考案によるワイヤレス通信モジュールは、ワイヤレス通信モジュール本体、コードレス受話器、及びワイヤレスイヤホンによって構成される。ワイヤレス通信モジュール本体は、ＤＥＣＴワイヤレス通信技術によってコードレス受話器及びワイヤレスイヤホンと接続される。ワイヤレス通信モジュール本体には第一収納部と第二収納部が設けられ、それぞれコードレス受話器とワイヤレスイヤホンを選択的に収納することができる。
【００１２】
第一収納部には上向きの開口部と前開口部が設けられ、上向きの開口部はコードレス受話器の横断面は対応していてコードレス受話器を収納することができ、前開口部の幅は上向きの開口部の幅より狭く、この構造により、コードレス受話器が外部の衝撃によりワイヤレス通信モジュール本体から外れてしまうのを防ぐことができる。
【００１３】
ワイヤレス通信モジュールのワイヤレス通信モジュール本体と公衆交換電話網を電気的に接続することで、使用者は、有効範囲の中で、コードレス受話器又はワイヤレスイヤホンをワイヤレスで使用して電話の着信を受けたり電話を発信したりすることができ、また、通話が終了した後、コードレス受話器又はワイヤレスイヤホンを第一収納部に固定して収納し充電を行うことができる。
【００１４】
また、ＤＥＣＴワイヤレス通信技術によりワイヤレス通信モジュール本体をコードレス受話器又はワイヤレスイヤホンと接続させることができる。これにより、長時間コードレス受話器を持つ不便さを改善することができる。
【考案の効果】
【００１５】
本考案によるワイヤレス通信モジュールは、コードレス受話器とワイヤレスイヤホンをワイヤレス通信モジュール本体に固定して収納させることにより、外部の衝撃でコードレス受話器とワイヤレスイヤホンがワイヤレス通信モジュール本体から外れてしまうのを防ぐ効果があるとともに、ＤＥＣＴワイヤレス通信技術によりワイヤレスイヤホンをワイヤレス通信モジュール本体と接続することで受話器を持たずに通話を行うことができ、長時間通話しても手や腕が疲れないという効果が生じる。
【図面の簡単な説明】
【００１６】
【図１】従来技術の説明図である。
【図２】従来技術のもう一つの形態の説明図である。
【図３】本考案によるワイヤレス通信モジュールの実施形態を示した説明図である。
【図４】本考案によるワイヤレス通信モジュール本体の実施形態における第一制御回路のブロック図である。
【図５】本考案によるコードレス受話器の実施形態における第二制御回路のブロック図である。
【図６】本考案によるワイヤレスイヤホンの実施形態における第三制御回路のブロック図である。
【考案を実施するための形態】
【００１７】
本考案で使用した技術や特徴を一層理解できるよう、以下に、添付図面を参照しながら詳細な説明を行う。然しながら、添付図面は参考と説明のために供したに過ぎず、本考案に制限を課すものではない。
【００１８】
図３は、本考案によるワイヤレス通信モジュールの実施形態を示した説明図である。図３に示すように、ワイヤレス通信モジュール２は、ワイヤレス通信モジュール本体３、コードレス受話器４、及びワイヤレスイヤホン５によって構成される。その内、ワイヤレス通信モジュール本体３は、ケース３０と第一制御回路（図示せず）によって構成され、第一制御回路はケース３０内に設けられる。ケース３０の前側面には第一収納部３１と第二収納部３３が設けられ、第一収納部３１と第二収納部３３は、それぞれコードレス受話器４とワイヤレスイヤホン５を収納できる形状になっている。コードレス受話器４とワイヤレスイヤホン５は、それぞれ第一収納部３１と第二収納部３３に選択的に収納できる。また、コードレス受話器４とワイヤレスイヤホン５は、ＤＥＣＴワイヤレス通信技術によってワイヤレス通信モジュール本体３と接続される。
【００１９】
本考案の実施形態において、第一収納部３１は上向きの開口部３１１と前開口部３１３を具え、上向きの開口部３１１と前開口部３１３は連続していて一つの開口部を形成している。上向きの開口部３１１の形状とコードレス受話器４の横断面の形状は対応している。即ち、上向きの開口部３１１の幅はコードレス受話器４正面の幅Ｌ２とほぼ同等であり、コードレス受話器４を上向きの開口部３１１から第一収納部３１に収納することができる。また、第一収納部の前開口部３１３の幅Ｌ１は上向きの開口部３１１の幅より狭く、もしくは第一収納部前開口部３１３の幅Ｌ１はコードレス受話器４正面の幅Ｌ２より狭く、コードレス受話器４を第一収納部３１に収納した時、コードレス受話器４が前開口部３１３から外れてワイヤレス通信モジュール本体３から落ちるようなことがないようになっており、ワイヤレス通信モジュール本体３のケース３０に固定して収納することができる。
【００２０】
本考案の実施形態において、第一収納部３１は対向する二つの側面３１５、３１７を具えており、第一収納部３１の側面３１５、３１７の幅はＷ１である。コードレス受話器４は二つの側面４１、４３を有しており、コードレス受話器４側面４１、４３の幅はＷ２である。第一収納部３１側面の幅Ｗ１は、コードレス受話器４側面４１、４３の幅Ｗ２より広く、コードレス受話器４を上向きの開口部３１１から簡単に第一収納部３１に収納することができる。
【００２１】
本考案の実施形態において、第一収納部３１側面３１５、３１７はガイド部（図示せず）を具え、このガイド部とコードレス受話器４の両側面４１、４３は対応しており、ガイド部は凹型レールや凸型レールにすることができる。もし、ガイド部が凹型レールである場合、コードレス受話器４の側面４１、４３は凸状であり、ガイド部が凸型レールである場合は、コードレス受話器４の側面４１、４３は凹状であり、この構造により、コードレス受話器４はガイド部により上向きの開口部３１１からスムーズに第一収納部３１に収納することができ、しかも第一収納部３１に固定して収納させておくことができる。
【００２２】
図３に示すように、第一収納部３１には第一信号伝送端子３１９が設けられ、コードレス受話器４には第二信号伝送端子４９が設けられる。第一信号伝送端子３１９と第二信号伝送端子４９の位置は相互に対応していて、コードレス受話器４を第一収納部３１に収納する時、第一信号伝送端子３１９と第二信号伝送端子４９が接触することにより、コードレス受話器４とワイヤレス通信モジュール本体３の制御回路は電気的に接続され、信号や電源の伝送を行うことができる。コードレス受話器４が第一収納部３１から取り外された時、コードレス受話器４はＤＥＣＴワイヤレス通信技術によって制御回路と接続される。また、第二収納部３３には磁気素子３３１が設けられ、ワイヤレスイヤホン５には被磁性素子５１が設けられ、磁気素子３３１と被磁性素子５１の位置は相互に対応しており、ワイヤレスイヤホン５を第二収納部３３に近づけた時、磁気素子３３１が被磁性素子５１を吸着することにより、ワイヤレスイヤホン５は第二収納部３３に素早く収納される。また、磁気素子３３１と被磁性素子５１が吸着した時は、ワイヤレスイヤホン５とワイヤレス通信モジュール本体３の制御回路は電気的に接続されて信号や電源の伝送を行うことができ、ワイヤレスイヤホン５が第二収納部３３から取り外された時は、ワイヤレスイヤホン５はＤＥＣＴワイヤレス通信技術によって制御回路と接続される。
【００２３】
本考案の実施形態において、第一信号伝送端子３１９と第二信号伝送端子４９は、相互に対応する金属端子やユニバーサル・シリアル・バス（ＵＳＢ）等にすることができる。被磁性素子５１は、磁気素子３３１に吸着される金属素子にすることができる。
【００２４】
本考案の実施形態において、第二収納部３３にはラッチ構造が設けられ、ワイヤレスイヤホン５はそれに対応する構造を具えている。ラッチユニット３５によってラッチ構造が制御されワイヤレスイヤホン５をロックし、ワイヤレスイヤホン５は第二収納部３３に固定される。そのため、ワイヤレスイヤホン５が紛失したり、小型のワイヤレスイヤホン５を幼児や子供が誤って飲んでしまったりするのを防ぐことができる。
【００２５】
本考案の実施形態において、ワイヤレス通信モジュール本体３にはラッチユニット３５が設けられ、第二収納部３３に収納されたワイヤレスイヤホン５を選択的にロックすることができる。磁気素子３３１の構造を利用してラッチ構造（図示せず）を形成させ、ラッチ構造はラッチユニット３５に制御されて対応する構造をもつ磁気素子３３１をロックし、それによりワイヤレスイヤホン５は第二収納部３３に固定される。それにより、ワイヤレスイヤホン５が紛失したり、小型のワイヤレスイヤホン５を幼児や子供が誤って飲んでしまったりするのを防ぐことができる。
【００２６】
本考案の実施形態において、第一収納部３１の底部（図示せず）は凹溝にすることができ、その凹溝の形状とコードレス受話器４の底部の形状は相互に対応していて、コードレス受話器４を第一収納部３１に固定して収納することができる。
【００２７】
本考案の実施形態において、ワイヤレス通信モジュール本体３の外観は筆立てのような形状を呈し、ワイヤレス通信モジュール本体３のケース３０の外壁には第一収納部３１と第二収納部３３が設けられる。ケース３０の中心には更に第三収納部３７が設けられ、各種の文房具を収納することもできるし、コードレス受話器４やワイヤレスイヤホン５の充電が完了した後、コードレス受話器４やワイヤレスイヤホン５を第三収納部に収納することもできる。
【００２８】
図３に示すように、ワイヤレス通信モジュール本体３は公衆交換電話網（ＰＳＴＮ）６に有線接続することで、公衆交換電話網６を通じて電話通信サービスに接続することができる。ワイヤレス通信モジュール本体３には第一制御回路（図示せず）が設けられ、第一制御回路と公衆交換電話網６は電気的に接続され、それにより遠隔端末と通信を行うことができる。コードレス受話器４には第二制御回路（図示せず）が設けられ、コードレス受話器４が第一収納部３１に収納された時、第二制御回路と第一制御回路は電気的に接続されることにより、第一信号伝送端子３１９と第二信号伝送端子４９を通じて信号や電源の伝送を行うことができる。ワイヤレスイヤホン５には第三制御回路（図示せず）が設けられ、ワイヤレスイヤホン５を第二収納部３３に収納する時、第三制御回路と第一制御回路は電気的に接続されることにより、磁気素子３３１と被磁性素子５１を通じて信号や電源の伝送を行うことができる。第一制御回路、第二制御回路及び第三制御回路はいずれもＤＥＣＴワイヤレスユニットを有し、コードレス受話器４が第一収納部３１に収納されているかどうか、ワイヤレスイヤホン５が第二収納部３３に収納されているかどうかに関わらず、コードレス受話器４とワイヤレスイヤホン５は、ＤＥＣＴワイヤレスユニットによってワイヤレス通信モジュール本体３とワイヤレス信号の送受信を行うことができる。
【００２９】
本考案の実施形態において、ワイヤレス通信モジュール本体３はスピーカー機能／マイク機能を具える。ワイヤレス通信モジュール本体３を公衆交換電話網６に接続することで、使用者は遠隔端末と双方向通信を行うことができるが、その際、ワイヤレス通信モジュール本体３のスピーカー機能／マイク機能を用いることで、複数の使用者による遠隔端末との通信を行うこともできる。又、使用者がプライバシーを保って通話を行いたい時は、ワイヤレス通信モジュール本体３からコードレス受話器４を取り出すことで、コードレス受話器４を手に持ちながら遠隔端末と双方向通信を行うこともできる。更には、使用者が長時間の通話をしたい時、もしくはコードレス受話器４を手に持って通話することができない時は、ワイヤレス通信モジュール本体３からワイヤレスイヤホン５を取り出すことで、耳掛け式やインナー式ワイヤレスイヤホンによって受話器を手に持たずに遠隔端末と双方向通信を行うこともできる。
【００３０】
図４は、本考案によるワイヤレス通信モジュールの第一制御回路のブロック図である。図４に示すように、ワイヤレス通信モジュール本体３の第一制御回路は、第一中央制御ユニット３０１、着信音ユニット３０２、電子スイッチユニット３０３、通話ネットワークユニット３０４、及び第一ＤＥＣＴワイヤレスユニット３０９によって構成される。着信音ユニット３０２、電子スイッチユニット３０３、通話ネットワークユニット３０４、及び第一ＤＥＣＴワイヤレスユニット３０９はそれぞれ第一中央制御ユニット３０１と接続される。
【００３１】
着信音ユニット３０２は、公衆交換電話網６からの着信信号Ｓ１を受信し、着信信号Ｓ１に基づいて着信音を発する。電子スイッチユニット３０３は公衆交換電話網６と通話ネットワークユニット３０４に接続される。着信音ユニット３０２が着信信号Ｓ１を受信した時、第一中央制御ユニット３０１は、着信信号Ｓ１に基づいて電子スイッチユニット３０３を通電させる。通話ネットワークユニット３０４は、通電した電子スイッチユニット３０３から転送されてきた着信信号Ｓ１を受信し、着信信号Ｓ１に基づいて双方向の通話ネットワークを提供する。第一中央制御ユニット３０１は通話のデータ処理を行い、処理後のデータは第一ＤＥＣＴワイヤレスユニット３０９から遠隔端末のコードレス受話器４やワイヤレスイヤホン５に伝送され、ワイヤレス通信の目的を達成する。
【００３２】
図３と図４を参照する。ワイヤレス通信モジュール本体３の第一制御回路は、判定回路３０７と充電回路３２１を更に含む。判定回路３０７と充電回路３２１はそれぞれ第一中央制御ユニット３０１に電気的に接続される。判定回路３０７は、第一収納部３１にコードレス受話器４が収納されているか、または第二収納部３３にワイヤレスイヤホン５が収納されているかを判定して、判定信号Ｓ２を第一中央制御ユニット３０１に出力する。即ち、第一信号伝送端子３１９が第二信号伝送端子４９に電気的に接続されているか、そして被磁性素子５１が磁気素子３３１に吸着しているかどうかを判定し、それに基づいて判定信号Ｓ２を第一中央制御ユニット３０１に出力する。また、充電回路３２１は更に直流電源ＶＤＤに接続される。第一中央制御ユニット３０１が判定信号Ｓ２に基づいて制御信号ＳＣｌを出力し、それにより制御された充電回路３２１は第一充電電圧Ｖｃｈ１をコードレス受話器４に出力、もしくは第二充電電圧Ｖｃｈ２をワイヤレスイヤホン５に出力する。即ち、コードレス受話器４を第一収納部３１に収納され、第一信号伝送端子３１９と第二信号伝送端子４９が電気的に接続されることにより、コードレス受話器４の充電を行うことができ、または、ワイヤレスイヤホン５を第二収納部３３に収納され、磁気素子３３１と被磁性素子５１が相互に吸着することでワイヤレスイヤホン５の充電を行うことができる。ワイヤレス通信モジュール本体３の第一制御回路は更に電圧調整ユニット３２０を含み、それぞれ直流電源ＶＤＤ、第一中央制御ユニット３０１、及び第一ＤＥＣＴワイヤレスユニット３０９に電気的に接続され、第一中央制御ユニット３０１と第一ＤＥＣＴワイヤレスユニット３０９に電力を供給する。本考案の実施形態においては、電圧調整ユニット３２０によって電源電圧ＶＣＣを第一中央制御ユニット３０１に伝送する。
【００３３】
図３と図４を参照する。ワイヤレス通信モジュール本体３の第一制御回路は、電気回路保護ユニット３０５と整流ユニット３０６を更に含む。電気回路保護ユニット３０５は、公衆交換電話網６からの着信信号Ｓ１を受信し、着信信号Ｓ１を保護する。整流ユニット３０６は電気回路保護ユニット３０５と電気的に接続され、着信信号Ｓ１に対して整流を行った後、着信音ユニット３０２に伝送する。本考案の実施形態において、電気回路保護ユニット３０５はヒューズにすることができ、整流ユニット３０６はブリッジ整流回路にすることができる。
【００３４】
ワイヤレス通信モジュール本体３の第一制御回路は、第一メモリユニット３０８、第一表示ユニット３２２、第一操作ユニット３２３、第一集音ユニット３２４及び第一スピーカーユニット３２５を更に含む。これらのユニットはいずれも第一中央制御ユニット３０１と電気的に接続される。第一メモリユニット３０８には、第一中央制御ユニット３０１を実行する時に必要なプログラムが保存されている。第一操作ユニット３２３は使用者にワイヤレス通信モジュール本体３を操作させることができ、本考案の実施形態においては、使用者はワイヤレス通信モジュール本体３上のキー（図示せず）を操作することで着信を受けることができ、遠隔端末との通信を行うことができる。第一表示ユニット３２２は、着信、通信状態、及び充電状態を表示することができ、第一表示ユニット３２２はインジケーターランプユニットにすることができる。第一集音ユニット３２４と第一スピーカーユニット３２５は、それぞれマイク機能とスピーカー機能を提供し、複数の使用者が同時に遠隔端末と通信を行うことができるようになる。
【００３５】
図５は、本考案によるワイヤレス通信モジュールの第二制御回路のブロック図である。図５に示すように、コードレス受話器４の第二制御回路は、第二中央制御ユニット４０１、第二ＤＥＣＴワイヤレスユニット４０５、及び第一エネルギー蓄積ユニット４０７を含む。第二ＤＥＣＴワイヤレスユニット４０５と第一エネルギー蓄積ユニット４０７は、それぞれ第二中央制御ユニット４０１と電気的に接続される。第二ＤＥＣＴワイヤレスユニット４０５はＤＥＣＴワイヤレス通信技術により第一ＤＥＣＴワイヤレスユニット３０９と接続され、それによりコードレス受話器４とワイヤレス通信モジュール本体３はワイヤレス通信を行うことができる。第一エネルギー蓄積ユニット４０７は、第二ＤＥＣＴワイヤレスユニット４０５と第二信号伝送端子４９に電気的に接続され、第一信号伝送端子３１９と第二信号伝送端子４９が電気的に接続された時、充電回路３２１は第一充電電圧Ｖｃｈ１を第一エネルギー蓄積ユニット４０７に出力し、それにより第一エネルギー蓄積ユニット４０７は第二中央制御ユニット４０１と第二ＤＥＣＴワイヤレスユニット４０５に電力を供給する。本考案の実施形態において、第一エネルギー蓄積ユニット４０７は二次電池にすることができる。
【００３６】
図３と図５を参照する。図５に示すように、第二制御回路は、第二メモリユニット４０３、第二表示ユニット４０９、第二操作ユニット４１１、第二集音ユニット４１３、及び第二スピーカーユニット４１５を更に含む。これらのユニットはいずれも第二中央制御ユニット４０１に電気的に接続される。第二メモリユニット４０３には、第二中央制御ユニット４０１を実行する時に必要なプログラムが保存されている。第二操作ユニット４１１は使用者にコードレス受話器４を操作させることができ、本考案の実施形態においては、コードレス受話器４上には数字キーや着信キーなどが設けられる。第二表示ユニット４０９は、通信状態、電池残量、充電状態、発信電話番号、着信記録、及び電話アドレス帳データなどを表示することができ、第二表示ユニット４０９は、液晶モニターの表示ユニットやインジケーターランプにすることができる。第二集音ユニット４１３と第二スピーカーユニット４１５は、それぞれマイク機能とスピーカー機能を提供し、使用者は遠隔端末とプライベート通話を行うことができる。本考案の実施形態において、第二集音ユニット４１３はマイクにすることができる。
【００３７】
図６は、本考案によるワイヤレス通信モジュールの第三制御回路のブロック図である。図６に示すように、ワイヤレスイヤホン５の第三制御回路は、第三中央制御ユニット５０１、第三ＤＥＣＴワイヤレスユニット５０５、及び第二エネルギー蓄積ユニット５０７を含む。第三ＤＥＣＴワイヤレスユニット５０５と第二エネルギー蓄積ユニット５０７は、それぞれ第三中央制御ユニット５０１と電気的に接続される。第三ＤＥＣＴワイヤレスユニット５０５はＤＥＣＴワイヤレス通信技術により第一ＤＥＣＴワイヤレスユニット３０９と接続され、それによりワイヤレスイヤホン５とワイヤレス通信モジュール本体３はワイヤレス通信を行うことができる。第二エネルギー蓄積ユニット５０７は、第三ＤＥＣＴワイヤレスユニット５０５と被磁性素子５１に電気的に接続され、被磁性素子５１と磁気素子３３１が相互に吸着した時、充電回路３２１は第二充電電圧Ｖｃｈ２を第二エネルギー蓄積ユニット５０７に出力し、それにより第二エネルギー蓄積ユニット５０７は第三中央制御ユニット５０１と第三ＤＥＣＴワイヤレスユニット５０５に電力を供給する。本考案の実施形態において、第二エネルギー蓄積ユニット５０７は二次電池にすることができる。
【００３８】
図３と図６を参照する。図６に示すように、第三制御回路は、第三メモリユニット５０３、第三表示ユニット５０９、第三操作ユニット５１１、第三集音ユニット５１３、及び第三スピーカーユニット５１５を更に含む。これらのユニットはいずれも第三中央制御ユニット５０１と電気的に接続される。第三メモリユニット５０３には、第三中央制御ユニット５０１を実行する時に必要なプログラムが保存されている。第三操作ユニット５１１は使用者にワイヤレスイヤホン５を操作させることができ、本考案の実施形態においては、ワイヤレスイヤホン５上には着信キーやリダイヤルキー等が設けられる。第三表示ユニット５０９は電池残量や通信状態を表示することができ、第三表示ユニット５０９は、充電状態を示すインジケーターランプや通話状態を示すインジケーターランプにすることができる。第三集音ユニット５１３と第三スピーカーユニット５１５は、それぞれマイク機能とスピーカー機能を提供し、使用者は受話器を持たずに遠隔端末とプライベート通話を行うことができる。本考案の実施形態において、第三集音ユニット５１３はマイクにすることができる。
【００３９】
着信があったとき、使用者がワイヤレス通信モジュール本体３上の着信キー（図示せず）を操作すると、第一操作ユニット３２３を通じて第一中央制御ユニット３０１に着信があったことが通知され、その後、第一中央制御ユニット３０１は電子スイッチユニット３０３を通電させることで、着信信号Ｓ１を受信することができるようになる。その後、ワイヤレス通信モジュール本体３内の電子スイッチユニット３０３、第一中央制御ユニット３０１、通話ネットワークユニット３０４、第一集音ユニット３２４、及び第一スピーカーユニット３２５の機能によって、使用者は遠隔端末と双方向通信を行うことができるとともに、複数人が同時にワイヤレス通信モジュール本体３を使用して遠隔端末と双方向通信を行うこともできる。
【００４０】
着信があった時、使用者がワイヤレス通信モジュール本体３の第一収納部３１からコードレス受話器４を取り出すと、ワイヤレス通信モジュール本体３の判定回路３０７が判定信号Ｓ２を第一中央制御ユニット３０１に出力する。それにより第一中央制御ユニット３０１は電子スイッチユニット３０３を通電させ、着信信号Ｓ１を受信することができるようになるとともに、それと同時に、第一中央制御ユニット３０１は、充電回路３２１がコードレス受話器４の充電を停止するように指令を送る。その後、ワイヤレス通信モジュール本体３内の、電子スイッチユニット３０３、第一中央制御ユニット３０１、通話ネットワークユニット３０４、第一ＤＣＥＴワイヤレスユニット３０９、及び第二ＤＥＣＴワイヤレスユニット４０５の機能により、使用者は、コードレス受話器４を手に持ちながら遠隔端末とプライベート通信を行うことができる。ワイヤレス通信モジュール本体３は、使用者の習慣に合わせて設定することができ、コードレス受話器４を取り出したらすぐ通話を開始させることも、取り出した後コードレス受話器４の第二操作ユニット４１１を操作してから通話を開始させることもできる。
【００４１】
また、もし着信があった時、コードレス受話器４が既にワイヤレス通信モジュール本体３から取り外されていた場合は、使用者がコードレス受話器４上の第二操作ユニット４１１を操作することでＤＥＣＴワイヤレス通信技術によって第一中央制御ユニット３０１が制御され、それにより第一中央制御ユニット３０１は電子スイッチユニット３０３を通電させ、着信信号Ｓ１を受信できるようになる。その後、ワイヤレス通信モジュール本体３内の、電子スイッチユニット３０３、第一中央制御ユニット３０１、通話ネットワークユニット３０４、第一ＤＣＥＴワイヤレスユニット３０９、及び第二ＤＥＣＴワイヤレスユニット４０５の機能により、使用者は、コードレス受話器４を手に持ちながら遠隔端末とプライベート通信を行うことができる。
【００４２】
着信があった時、使用者はワイヤレス通信モジュール本体３の第二収納部３３からワイヤレスイヤホン５を取り出すと、ワイヤレス通信モジュール本体３の判定回路３０７が判定信号Ｓ２を第一中央制御ユニット３０１に出力する。それにより第一中央制御ユニット３０１は電子スイッチユニット３０３を通電させ、着信信号Ｓ１を受信することができるようになるとともに、それと同時に、第一中央制御ユニット３０１は、充電回路３２１がワイヤレスイヤホン５の充電を停止するように指令を送る。その後、ワイヤレス通信モジュール本体３内の、電子スイッチユニット３０３、第一中央制御ユニット３０１、通話ネットワークユニット３０４、第一ＤＣＥＴワイヤレスユニット３０９、及び第三ＤＥＣＴワイヤレスユニット５０５の機能により、使用者は、受話器を持たずに耳掛け式やインナー式のワイヤレスイヤホン５で遠隔端末とプライベート通信を行うことができる。ワイヤレス通信モジュール本体３は、使用者の習慣に合わせて設定することができ、ワイヤレスイヤホン５を取り出したらすぐ通話を開始させることも、取り出した後ワイヤレスイヤホン５の第三操作ユニット５１１を操作してから通話を開始させることもできる。
【００４３】
また、もし着信があった時、ワイヤレスイヤホン５が既にワイヤレス通信モジュール本体３から取り外されていた場合は、使用者がワイヤレスイヤホン５上の第三操作ユニット５１１を操作することでＤＥＣＴワイヤレス通信技術によって第一中央制御ユニット３０１が制御され、それにより第一中央制御ユニット３０１は電子スイッチユニット３０３を通電させ、着信信号Ｓ１を受信できるようになる。その後、ワイヤレス通信モジュール本体３内の、電子スイッチユニット３０３、第一中央制御ユニット３０１、通話ネットワークユニット３０４、第一ＤＣＥＴワイヤレスユニット３０９、及び第三ＤＥＣＴワイヤレスユニット５０５の機能により、使用者は受話器を持たずにワイヤレスイヤホン５で遠隔端末とプライベート通信を行うことができる。
【００４４】
以上の実施形態から分かるように、本考案は、ワイヤレス通信モジュール本体に二つの収納部を設けることで、コードレス受話器とワイヤレスイヤホンを固定して収納する目的を達成する。このように、本考案によるワイヤレス通信モジュールは、従来のワイヤレス電話の欠点を改善し、長時間通話しても手や腕が疲れない構造になっている。
【００４５】
上記内容は本考案の好ましい実施形態に過ぎず、本考案の登録請求の範囲を限定するものではないため、本考案で開示した趣旨を逸脱しないで完成された等価変更若しくは補正は、全て本考案における登録請求の範囲内に含まれるものとする。
【符号の説明】
【００４６】
１    電話機、
１０    電話機本体、
１２    受話器、
１４    電話コード、
１６    電話回線コード、
１８    キー、       
２０    公衆交換電話網、
１’    コードレス電話機、
１０’    台座、
１１’    充電溝、
２    ワイヤレス通信モジュール、
３    ワイヤレス通信モジュール本体、
３０    ケース、
３１    第一収納部、
３１１    上向きの開口部、
３１３    前開口部、
３１５、３１７    第一収納部側面、
３１９     第一信号伝送端子、
Ｌ１    第一収納部の前開口部の幅、
Ｗ１    第一収納部の側面の幅、
３３    第二収納部、
３３１    磁気素子、
３５    ラッチユニット、
３７    第三収納部、
４    コードレス受話器、
４１、４３    コードレス受話器の側面、
４９    第二信号伝送端子、
Ｌ２    コードレス受話器正面の幅、
Ｗ２    コードレス受話器の側面の幅、
５    ワイヤレスイヤホン、
５１    被磁性素子、
６    公衆交換電話網、
Ｓ１    着信信号、
Ｓ２    判定信号、
ＳＣｌ    制御信号、
ＶＤＤ    直流電源、
ＶＣＣ    電源電圧、
Ｖｃｈ１    第一充電電圧、
Ｖｃｈ２    第二充電電圧、
３０１    第一中央制御ユニット、
３０２    着信音ユニット、
３０３    電子スイッチユニット、
３０４    通話ネットワークユニット、
３０５    電気回路保護ユニット、
３０６    整流ユニット、
３０７    判定回路、
３０８    第一メモリユニット、
３０９    第一ＤＥＣＴワイヤレスユニット、
３２０    電圧調整ユニット、
３２１    充電回路、
３２２    第一表示ユニット、
３２３    第一操作ユニット、
３２４    第一集音ユニット、
３２５    第一スピーカーユニット、
４０１    第二中央制御ユニット、
４０３    第二メモリユニット、
４０５    第二ＤＥＣＴワイヤレスユニット、
４０７    第一エネルギー蓄積ユニット、
４０９    第二表示ユニット、
４１１    第二操作ユニット、
４１３    第二集音ユニット、
４１５    第二スピーカーユニット、
５０１    第三中央制御ユニット、
５０３    第三メモリユニット、
５０５    第三ＤＥＣＴワイヤレスユニット、
５０７    第二エネルギー蓄積ユニット、
５０９    第三表示ユニット、
５１１    第三操作ユニット、
５１３    第三集音ユニット、
５１５    第三スピーカーユニット。
【図１】
0003159164.tif 000003
【図２】
0003159164.tif 000004
【図３】
0003159164.tif 000005
【図４】
0003159164.tif 000006
【図５】
0003159164.tif 000007
【図６】
0003159164.tif 000008
【手続補正書】
【提出日】平成22年3月4日(2010.3.4)
【手続補正１】
【補正対象書類名】実用新案登録請求の範囲
【補正対象項目名】請求項２０
【補正方法】変更
【補正の内容】
【請求項２０】
該ワイヤレスイヤホンは、
該第三中央制御ユニットと電気的に接続され、該第三中央制御ユニットを実行するプログラムを保存する第三メモリユニットと、
該第三中央制御ユニットと電気的に接続され、使用者に該ワイヤレスイヤホンを操作させることができる第三操作ユニットと、
該第三中央制御ユニットと電気的に接続され、充電状態と通信状態を表示する第三表示ユニットと、
該第三中央制御ユニットと電気的に接続され、音声周波数信号を受信する第三集音ユニットと、
該第三中央制御ユニットと電気的に接続される第三スピーカーユニットと、
を更に含むことを特徴とする、請求項１９に記載のワイヤレス通信モジュール。